(57)【要約】【課題】電線をコンタクトの結線部に半田付けする作業を容易に行えるコネクタを提供する。【解決手段】プラグ側ハウジング１２に、結線部１１ｃを露出させた状態でオス端子１１を保持するコンタクト保持部１２２と、このコンタクト保持部１２２に連結され、電線２８ｆの被覆２８ｅの一端部を保持するとともに、電線２８ｄの芯線２８ｆを結線部１１ｃ上に位置決めするワイヤ保持部１２３とを一体に形成した。【選択図】図１
2008192420.tif 000002
【特許請求の範囲】
【請求項１】
電線の芯線に半田付けされる結線部を有するコンタクトと、
前記結線部を露出させた状態で前記コンタクトを保持するコンタクト保持部と、前記電線の一端部を保持するとともに、前記芯線を前記結線部に対して位置決めする電線保持部とを有するハウジングと
を備えていることを特徴とするコネクタ。
【請求項２】
前記コンタクト保持部と前記電線保持部とが一体に形成されていることを特徴とする請求項１記載のコネクタ。
【請求項３】
前記コンタクトがほぼ板状であることを特徴とする請求項１又は２記載のコネクタ。
【請求項４】
前記結線部の中央部に前記芯線を位置決めするための凹部が形成されていることを特徴とする請求項３記載のコンタクト。
【請求項５】
前記電線保持部に半田付けをするための傾斜面が形成されていることを特徴とする請求項１〜４のいずれか１項記載のコネクタ。
【発明の詳細な説明】
【技術分野】
【０００１】
この発明はコネクタに関し、特に半田付けによって電線がコンタクトに接続されるコネクタに関する。
【背景技術】
【０００２】
従来、ハウジングと、接触片（コンタクト）と、電線保持具とを備えるコネクタが知られている（下記特許文献１参照）。
【０００３】
ハウジングは蓋体とコネクタ受け部と基部とを有する。蓋体はほぼ板状である。コネクタ受け部は蓋体の上面に形成され、相手側コネクタと嵌合する。基部は蓋体の下面に形成されている。基部はほぼ角筒状であり、底部を有する。底部には支持部が形成されている。支持部は底部の上面及び下面から突出している。
【０００４】
接触片は支持部に支持され、その上端部及び下端部は支持部から突出している。接触片の下端部には電線の芯線が半田付けされる。
【０００５】
電線保持具はハウジングと別部品である。接触片に電線の芯線を半田付けした後、電線保持具はハウジングの基部に係止され、電線の一端部を保持する。
【０００６】
このコネクタでは、電線保持具によって電線の一端部が保持されているので、振動により電線がぶれても、そのぶれは電線保持具により低減され、電線の芯線にほとんど伝わらない。
【特許文献１】特開２００３−３３１９４９号公報
【発明の開示】
【発明が解決しようとする課題】
【０００７】
上述のコネクタでは、接触片に電線の芯線を半田付けするとき、電線保持部はハウジングから外されているので、電線を一方の手で保持し、他方の手で半田付けする必要があり、半田付け作業を行いにくかった。
【０００８】
この発明はこのような事情に鑑みてなされたもので、その課題は電線をコンタクトの結線部に半田付けする作業を容易に行えるコネクタを提供することである。
【課題を解決するための手段】
【０００９】
前述の課題を解決するため請求項１の発明のコネクタは、電線の芯線に半田付けされる結線部を有するコンタクトと、前記結線部を露出させた状態で前記コンタクトを保持するコンタクト保持部と、前記電線の一端部を保持するとともに、前記芯線を前記結線部に対して位置決めする電線保持部とを有するハウジングとを備えていることを特徴とする。
【００１０】
上述のように、ハウジングは電線保持部を有し、電線保持部は電線の芯線をコンタクトの結線部に対して位置決めするので、半田付けの際手で電線を保持する必要がない。
【００１１】
請求項２の発明は、請求項１記載のコネクタにおいて、前記コンタクト保持部と前記電線保持部とが一体に形成されていることを特徴とする。
【００１２】
請求項３の発明は、請求項１又は２記載のコネクタにおいて、前記コンタクトがほぼ板状であることを特徴とする。
【００１３】
請求項４の発明は、請求項３記載のコンタクトにおいて、前記結線部の中央部に前記芯線を位置決めするための凹部が形成されていることを特徴とする。
【００１４】
請求項５の発明は、請求項１〜４のいずれか１項記載のコネクタにおいて、前記電線保持部に半田付けをするための傾斜面が形成されていることを特徴とする。
【発明の効果】
【００１５】
この発明によれば、電線をコンタクトの結線部に半田付けする作業を容易に行える。
【発明を実施するための最良の形態】
【００１６】
以下、この発明の実施の形態を図面に基づいて説明する。
【００１７】
図１はこの発明の一実施形態に係るアングル型プラグコネクタの斜視図、図２は図１に示すアングル型プラグコネクタの断面図、図３Ａは図１に示すアングル型コネクタのコネクタ本体の正面図、図３Ｂは同コネクタ本体の側面図、図３Ｃは同コネクタ本体の背面図、図３Ｄは同平面図、図４は図３ＡのIV−IV線に沿う断面図、図５は図３に示すコネクタ本体を前方斜め上方から見た斜視図、図６は図３に示すコネクタ本体を後方斜め上方から見た斜視図、図７は図３に示すコネクタ本体の分解斜視図、図８は図３に示すコネクタ本体のオス端子の斜視図、図９は図８のIX−IX線に沿う断面図、図１０は図３に示すコネクタ本体の断面図、図１１は図１０のXI−XI線に沿う断面図、図１２は図１０のXII−XII線に沿う断面図である。
【００１８】
図１、２に示すように、アングル型プラグコネクタ１００は、コネクタ本体１０とシールド部材１３とアングルエンドベル（エンドベル）１５とバレル１６とカップリングナット１８とグランドナット１９とを備える。
【００１９】
図３Ａ等に示すように、コネクタ本体１０はオス端子１１とプラグ側ハウジング１２とで構成されている。
【００２０】
オス端子１１は金属薄板を打ち抜いて形成され、ほぼ板状である。オス端子１１は接触部１１ａと圧入部１１ｂと結線部１１ｃとを有する（図８参照）。
【００２１】
接触部１１ａは相手側コネクタであるレセプタクルコネクタ（図示せず）のメス端子に接触する。
【００２２】
圧入部１１ｂは接触部１１ａに連結されている。圧入部１１ｂの幅は接触部１１ａ及び結線部１１ｃの幅よりも大きい。また、圧入部１１ｂの側部はのこぎり歯状に形成されている。
【００２３】
結線部１１ｃは圧入部１１ｂに連結されている。結線部１１ｃの中央部には溝状の凹部１１ｄが形成されている（図９参照）。凹部１１ｄの断面形状は円弧である。凹部１１ｄはオス端子１１の長手方向に沿って延びている。
【００２４】
プラグ側ハウジング１２は端子保持部１２１とコンタクト保持部１２２とワイヤ保持部１２３とを有する。端子保持部１２１とコンタクト保持部１２２とワイヤ保持部１２３とは樹脂で一体に形成されている（図３参照）。
【００２５】
端子保持部１２１はほぼ角柱状である。端子保持部１２１の上面及び下面にはそれぞれ２つの端子収容溝１２１ｂが形成されている。端子収容溝１２１ｂにオス端子１１を挿入すると、圧入部１１ｂがコンタクト保持部１２２に圧入される。これにより、コンタクト保持部１２２にオス端子１１が保持される。コンタクト保持部１２２がオス端子１１を保持しているとき、オス端子１１の一面は露出している。端子保持部１２１の上面には位置決めキー１２１ａが形成されている（図７参照）。
【００２６】
コンタクト保持部１２２はほぼ円板状であり、その中央部には端子収容溝１２１ｂに連なる溝１２２ｄが貫通している。コンタクト保持部１２２の外周面には８つの位置合わせキー溝１２２ａが周方向へ等間隔に形成されている。また、コンタクト保持部１２２の内周面には４対の端子押え１２２ｂが形成されている。各対の端子押え１２２ｂはオス端子１１の圧入部１１ｂを押え付ける。各対の端子押え１２２ｂの間には凹部１２２ｃが形成されている。
【００２７】
ワイヤ保持部１２３はほぼ円錐台形であり、コンタクト保持部１２２の後端に連結部１２４を介して連結されている。ワイヤ保持部１２３には４つのワイヤ挿入孔１２３ａが形成されている（図３Ｃ参照）。ワイヤ挿入孔１２３ａは端子収容溝１２１ｂに通じている。ワイヤ保持部１２３はテーパ面（傾斜面）１２３ｂを有する。連結部１２４は結線部１１ｃを露出させて、オス端子１１を保持する部分である（図１３参照）。
【００２８】
図１、２に示すように、シールド部材１３はシールド部１３１とクランプ部１３２とを有する。シールド部１３１とクランプ部１３２とは導電性を有する金属薄板で一体に形成されている。シールド部１３１は円筒状であり、プラグ側ハウジング１２に回転可能に装着され、プラグ側ハウジング１２を覆う。シールド部１３１には切り起しにより、一対の位置合わせキー（図示せず）が形成されている。一対の位置合わせキーはシールド部１３１の中心に対して点対称の位置にあり、シールド部１３１の内側に引っ込んでいる。一対の位置合わせキーはプラグ側ハウジング１２の位置合わせキー溝１２２ａに挿入される。一対の位置合わせキーが位置合わせキー溝１２２ａに挿入されたとき、プラグ側ハウジング１２に対するシールド部１３１の回転が阻止され、プラグ側ハウジング１２に対するクランプ部１３２の向きが一定に維持される。又、相手側との嵌合側へプラグハウジング１２がシールド部１３１内で移動するのを阻止する。シールド部１３１には３つのランス１３１ｂが周方向へ等間隔に形成されている。ランス１３１ｂは切り起しにより形成され、シールド部１３１の内側に引っ込んでいる。ランス１３１ｂはコンタクト保持部１２２の側面を支える。位置合わせキーがコンタクト保持部１２２を支えると、プラグ側ハウジング１２がシールド部１３１内で相手側と離脱する方向へ移動するのを阻止する。
【００２９】
図２に示すように、クランプ部１３２はシールド部１３１に対してほぼ直角に連結され、ケーブル２８の一端部をクランプする。この実施形態のアングル型プラグコネクに結線されているケーブル２８はシールド線（図示せず）を有する。シールド線はケーブル２８の外被２８ａの先端部に装着されたスリーブ２３とクランプ部１３２との間に挟まれている。クランプ部１３２の外周面にはフェルール２４が装着され、これをかしめることによってスリーブ２３、シールド線、クランプ部１３２及びフェルールが一体化し、シールド線がシールド部材１３に電気的に接続される。
【００３０】
アングルエンドベル１５は包囲部１５１とケーブル引出部１５２とを有する。包囲部１５１、ケーブル引出部１５２はいずれも樹脂製である。包囲部１５１は円筒状であり、シールド部材１３の先端部を除き、シールド部１３１を覆う。包囲部１５１の外周面には３つのロック爪１５１ａが周方向へ等間隔に形成されている。
【００３１】
ケーブル引出部１５２はほぼ円柱状であり、包囲部１５１に連結されている。ケーブル引出部１５２はシールド部材１３のクランプ部１３２を覆う。ケーブル引出部１５２の外周面には３つのロック爪１５２ａが等間隔に形成されている。ケーブル引出部１５２の外周面の３つのロック爪１５２ａの間には嵌合凸部１５２ｂが形成されている。嵌合凸部１５２ｂはほぼ直方体状である。
【００３２】
バレル１６は円筒部１６１とフランジ部１６２とを有する。円筒部１６１、フランジ部１６２はいずれも樹脂製である。円筒部１６１はシールド部材１３のシールド部１３１の先端部を覆う。円筒部１６１の外周面には３つの誤嵌合防止キー溝（誤嵌合防止部）１６１ａが周方向へ等間隔に形成されている。誤嵌合防止キー溝１６１ａは嵌合・離脱方向に沿って延びている。
【００３３】
フランジ部１６２は円筒部１６１の後端に連結されている。フランジ部１６２はＯリング２１を介してアングルエンドベル１５の段差面１５１ｄに突き合わされる。これにより、アングルエンドベル１５の内部空間がシールされる。
【００３４】
カップリングナット１８はカバー部１８１と嵌合部１８２とを有する。カバー部１８１、嵌合部１８２はいずれも樹脂製である。カバー部１８１はほぼ円筒状であり、アングルエンドベル１５の包囲部１５１及びバレル１６１を覆う。カバー部１８１の後端部には３つのロック孔１８１ａが周方向へ所定間隔に形成されている。ロック孔１８１ａはアングルエンドベル１５のロック爪１５１ａを受け入れてロック爪１５１ａと係合する。また、カバー部１８１の後端部には切欠き１８１ｄが形成されている。切欠き１８１ｄはカップリングナット１８がアングルエンドベル１５に接触しないようにするためのものである。また、切欠き１８１ｄによってカバー部１８１の後端部はその径方向で膨らんだり、縮んだりすることができる。したがって、カップリングナット１８を嵌合・離脱方向に沿ってアングルエンドベル１５に装着するとき、カバー部１８１の後端部はロック爪１５１ａを乗り越え、ロック孔１８１ａにアングルエンドベル１５１のロック爪１５１ａが挿入される。この結果、カップリングナット１８がアングルエンドベル１５にロックされる。
【００３５】
カバー部１８１の前端部には、一対のロック片１８１ｂが形成されている。一対のロック片１８１ｂはカバー部１８１の中心に対して点対称の位置にある。ロック片１８１ｂはカバー部１８１の径方向で変形可能であり、孔１８１ｃを有する。孔１８１ｃはレセプタクルコネクタ（図示せず）のロック爪を受け入れる。このときロック片１８１ｂとロック爪とが係合する。
【００３６】
嵌合部１８２はカバー部１８１に対してほぼ直角に連結されている。嵌合部１８２の背面には嵌合凹部１８２ａが形成されている（図２参照）。嵌合凹部１８２ａはアングルエンドベル１５の嵌合凸部１５２ｂと嵌合する。
【００３７】
グランドナット１９は有底筒状であり、樹脂製である。グランドナット１９の横断面形状はほぼ鍵穴状であり、その後部には３つのロック孔１９１ａが形成されている。３つのロック孔１９１ａはアングルエンドベル１５のロック爪１５２ａを受け容れる。グランドナット１９の後部はその径方向で膨らんだり、縮んだりすることができるので、３つのロック孔１９１ａはグランドナット１９の後部の径方向でロック爪１５２ａと係合する。
【００３８】
グランドナット１９の前部にはロック孔１９２ａが形成されている。ロック孔１９２ａはカップリングナット１８のロック爪１８２ｂを受け容れる。グランドナット１９の上端部は撓むことができるので、ロック孔１９２ａはグランドナット１９の径方向でロック爪１８２ｂと係合可能である。
【００３９】
図１３は図３に示すコネクタ本体のオス端子に電線を半田付けする前の状態を示す断面図、図１４は図１３に示すコネクタ本体のプラグ側ハウジングのワイヤ挿入孔に電線が挿入された状態を示す断面図、図１５は図１４のXV−XV線に沿う断面図、図１６は図１５のＡ部の拡大図、図１７は図１４に示すコネクタ本体のオス端子に芯線を半田付けしている状態を示す断面図、図１８は図１７に示すコネクタ本体のオス端子に芯線が半田付けされた状態を示す断面図、図１９は図１８に示すコネクタ本体の電線を曲げた状態を示す断面図である。
【００４０】
次に、この実施形態のアングル型プラグコネクタのコネクタ本体の結線手順について説明する。
【００４１】
まず、図１３に示すように、予め、電線２８ｄの先端部の被覆２８ｅを除去し、芯線２８ｆを露出させておく。また、芯線２８ｆには予備半田を施しておく。
【００４２】
次に、図１４に示すように、電線２８ｄをプラグ側ハウジング１２のワイヤ保持部１２３のワイヤ挿入孔１２３ａに挿入する。このとき、図１５、１６に示すように、電線２８ｄの被覆２８ｅの部分がワイヤ挿入孔１２３ａに軽圧入される。また、図１４に示すように、芯線２８ｆは自動的にオス端子１１の結線部１１ｃ上に配置される。しかも、芯線２８ｆは結線部１１ｃの凹部１１ｄによって正確に位置決めされる。
【００４３】
その後、図１７に示すように、半田ごて２９を芯線２８ｆに当て、芯線２８ｆを結線部１１ｃに半田付けする。このとき、溶融した半田は凹部１１ｄに溜まるので、凹部１１ｄ外へ漏れる虞が少ない。また、ワイヤ保持部１２３にはテーパ面１２３ｂが形成されているので、半田ごて２９を動かせる範囲が広くなっている。
【００４４】
以上の工程により、図１８に示すように、オス端子１１への電線２８ｄの結線が完了する。
【００４５】
図１９に示すように、結線完了後では、電線２８ｄをどの方法へ引き出しても、電線２８ｄの先端部はワイヤ保持部１２３によって確実に保持される。
【００４６】
この実施形態によれば、ワイヤ保持部１２３によって電線２８ｄが保持されているので、電線２８ｄをオス端子１１の結線部１１ｃに半田付けする作業を容易に行え、結線部にストレスが加わらない。
【００４７】
また、端子保持部１２１とコンタクト保持部１２２とワイヤ保持部１２３とが一体に形成されているので、部品点数を少なくすることができるので、製造コストを低減することができる。
【００４８】
更に、結線部１１ｃに凹部１１ｄが形成されているので、各オス端子１１における芯線２８ｆの半田付けの位置がほぼ同じであるので、インピーダンス整合を取りやすい。
【００４９】
また、ワイヤ保持部１２３にテーパ面１２３ｂが形成されているので、コンタクト保持部１２２とワイヤ保持部１２３との間の空間が大きく、半田ごてによる半田付け作業を行いやすい。
【図面の簡単な説明】
【００５０】
【図１】図１はこの発明の一実施形態に係るアングル型プラグコネクタの斜視図である。
【図２】図２は図１に示すアングル型プラグコネクタの断面図である。
【図３Ａ】図３Ａは図１に示すアングル型コネクタのコネクタ本体の正面図である。
【図３Ｂ】図３Ｂは同コネクタ本体の側面図である。
【図３Ｃ】図３Ｃは同コネクタ本体の背面図である。
【図３Ｄ】図３Ｄは同平面図である。
【図４】図４は図３ＡのIV−IV線に沿う断面図である。
【図５】図５は図３に示すコネクタ本体を前方斜め上方から見た斜視図である。
【図６】図６は図３に示すコネクタ本体を後方斜め上方から見た斜視図である。
【図７】図７は図３に示すコネクタ本体の分解斜視図である。
【図８】図８は図３に示すコネクタ本体のオス端子の斜視図である。
【図９】図９は図８のIX−IX線に沿う断面図である。
【図１０】図１０は図３に示すコネクタ本体の断面図である。
【図１１】図１１は図１０のXI−XI線に沿う断面図である。
【図１２】図１２は図１０のXII−XII線に沿う断面図である。
【図１３】図１３は図３に示すコネクタ本体のオス端子に電線を半田付けする前の状態を示す断面図である。
【図１４】図１４は図１３に示すコネクタ本体のプラグ側ハウジングのワイヤ挿入孔に電線が挿入された状態を示す断面図である。
【図１５】図１５は図１４のXV−XV線に沿う断面図である。
【図１６】図１６は図１５のＡ部の拡大図である。
【図１７】図１７は図１４に示すコネクタ本体のオス端子に芯線を半田付けしている状態を示す断面図である。
【図１８】図１８は図１７に示すコネクタ本体のオス端子に芯線が半田付けされた状態を示す断面図である。
【図１９】図１９は図１８に示すコネクタ本体の電線を曲げた状態を示す断面図である。
【符号の説明】
【００５１】
１０  コネクタ本体
１１  オス端子（コンタクト）
１１ｃ  結線部
１１ｄ  凹部
１２  プラグ側ハウジング（ハウジング）
１２１  端子保持部
１２２  コンタクト保持部
１２３  ワイヤ保持部（電線保持部）
１２３ｂ  テーパ面（傾斜面）
２８ｄ  電線
２８ｅ  被覆
２８ｆ  芯線
１００  アングル型プラグコネクタ
【図１】
2008192420.tif 000003
【図２】
2008192420.tif 000004
【図３Ａ】
2008192420.tif 000005
【図３Ｂ】
2008192420.tif 000006
【図３Ｃ】
2008192420.tif 000007
【図３Ｄ】
2008192420.tif 000008
【図４】
2008192420.tif 000009
【図５】
2008192420.tif 000010
【図６】
2008192420.tif 000011
【図７】
2008192420.tif 000012
【図８】
2008192420.tif 000013
【図９】
2008192420.tif 000014
【図１０】
2008192420.tif 000015
【図１１】
2008192420.tif 000016
【図１２】
2008192420.tif 000017
【図１３】
2008192420.tif 000018
【図１４】
2008192420.tif 000019
【図１５】
2008192420.tif 000020
【図１６】
2008192420.tif 000021
【図１７】
2008192420.tif 000022
【図１８】
2008192420.tif 000023
【図１９】
2008192420.tif 000024